(57)【要約】【課題】容器に着脱容易な固液分離機能を有する筒体の提供。【解決手段】合成樹脂又は金属よりなる筒対であって、一端に凹部を設け、当該一端方を前記容器内方向へ、前記凹部が容器首部下縁より下方に延設した状態で装着すること、若しくは筒体側壁には網状部を形成し、前記網状部が容器首部下縁より下方に延設した状態で装着すること、若しくは一端および当該筒体側壁に網状部を形成し、前記網状部が容器首部下縁より下方に延設した状態で装着することを特徴とする【選択図】      図１
2004216315.tif 000002
【特許請求の範囲】
【請求項１】
容器開口部の内径に嵌合する外径を有する筒体であって、一端に凹部を設け、当該一端方を前記容器内方向へ、前記凹部が容器首部下縁より下方に延設した状態で装着することを特徴とする固液分離筒体。
【請求項２】
容器開口部の内径に嵌合する外径を有する筒体であって、当該筒体側壁には網状部を形成し、前記網状部が容器首部下縁より下方に延設した状態で装着することを特徴とする固液分離筒体。
【請求項３】
容器開口部の内径に嵌合する外径を有する筒体であって、一端および当該筒体側壁に網状部を形成し、前記網状部が容器首部下縁より下方に延設した状態で装着することを特徴とする固液分離筒体。
【請求項４】
筒体は合成樹脂又は金属よりなる請求項１乃至３記載の固液分離筒体。
【請求項５】
筒体が容器と一体に成形されたことを特徴とする請求項１乃至４記載の固液分離筒体。
【発明の詳細な説明】
【０００１】
【発明の属する技術分野】
本発明は、容器の注ぎ口に装着する筒体に関するものであり、詳しくは内容物たる溶液中に固形物を封入した容器の注ぎ口の内側に装着する筒体であって、抽出時に固液分離が可能な筒体に関するものである。特に、鉱物等の微細な粒子、若しくはその他コロイド粒子を含有する懸濁液といった水溶液中に、静置状態では沈殿する当該微細粒子を攪拌する目的で球状体若しくは多角面体の転動体（以下、ベアリングという）を封入した容器の注ぎ口の内側に装着し、前記水溶液の抽出時に、ベアリングが容器外へ流出することを防ぐ筒体に関するものである。
【０００２】
【従来の技術】
従来、固形物と液体とを混合して保存する容器の注ぎ口に係る構造として、例えば、キャップに中蓋部を設け、当該中蓋部を液注出孔を有する構造とし、抽出時に固液分離する蓋体等の構造が見られる（例えば、特許文献１参照。）。
また、有底の袋体からなる容器において、濾過膜からなる隔壁を設けることで、収納室を形成し、容器内において固液分離を行う構造のものが見られる（例えば、特許文献２参照。）。
【０００３】
【特許文献１】
特開２００２−２８４２１２号公報（段落番号「００１６」、第２図）
【特許文献２】
特開平５−２０１４７１号公報（段落番号「００１７」、第１図）
【０００４】
【発明が解決しようとする課題】
しかしながら、上記のような従来技術、例えば、特許文献１によれば、容器の注ぎ口に中蓋部を別途設けるとすることは当該容器の構造を複雑化させ、部品点数も多くなることからコスト的にも好ましくない。更に、当該構造は容器と一体不可分なものであるため、他の容器への再利用ができない。
また、特許文献２のように、容器内に濾過膜を有する構造とした場合も当該容器でしか使用できず、内容物を使用した後には使用できない。更に、前述のベアリングのように固形物が、水溶液中で沈殿する微細粒子を攪拌する目的で封入されている場合には、当該濾過膜はその目的を異にするため利用できない。
【０００５】
以上の点に鑑み、本発明は、特に、容器自体に特別な構造を求めず、安価に製造可能で、且つ、内容物の使用後に他の容器への再装着を容易に可能とする固液分離筒体を提供することを課題とする。
【０００６】
【課題を解決するための手段】
前記の目的を解決するため、請求項１記載の固液分離筒体は、容器開口部の内径に嵌合する外径とし、一端に凹部を設け、当該一端方を前記容器内方向へ、前記凹部が容器首部下縁より下方に延設した状態で装着することを要旨とする。
【０００７】
また、請求項２記載の固液分離筒体は、容器開口部の内径に嵌合する外径とし、当該筒体側壁には網状部を形成し、前記網状部が容器首部下縁より下方に延設した状態で装着することを要旨とする。
【０００８】
また、請求項３記載の固液分離筒体は、容器開口部の内径に嵌合する外径とし、一端および当該筒体側壁に網状部を形成し、前記網状部が容器首部下縁より下方に延設した状態で装着することを要旨とする。
【０００９】
また、請求項４記載の固液分離筒体は、請求項１乃至３記載の構成において、合成樹脂又は金属よりなることを要旨とする。
【００１０】
また、請求項５記載の固液分離筒体は、請求項１乃至４記載の構成において、筒体が容器と一体に成形されたことを要旨とする。
【００１１】
【発明の実施の形態】
本発明の固液分離筒体は、ポリエチレン、ポリプロピレン、ポリスチレン、ポリ塩化ビニルその他の合成樹脂材およびステンレス等の金属などをその素材とし、当該筒体を使用する容器内の内容物の性質に対して耐腐食性を有する素材を用いてなる。尚、本発明の特徴を損なわないものであれば、上記素材に限られるものでない。
【００１２】
本発明の固液分離筒体は、主に厚み０．５ｍｍ以下の前記材料による薄手のシートを円筒状に加工してなり、ある程度の弾性を備え、使用する容器の開口部が楕円形状であっても適応可能とし、さらに容器首部の内側が若干奥細りしている場合にも、かかる弾性質により適応が可能である。尚、素材、加工の容易性、弾性を考慮した上で、本発明の特徴を損なわないものであれば、厚みは０．５ｍｍ以下に限られるものではない。
【００１３】
本発明の固液分離筒体は、開放口の一端を図１に示すようにＶ字型凹部を欠切した形状とする。尚、当該欠切部形状はＶ字型には限定されず、図２に示す形状であっても良い。
尚、欠切部（２）の巾（ｔ）は最大でも、後述する容器内に封入されたベアリングの径を超えない程度の巾の長さに留めることとする。また、容器への装着は、欠切部（２）を設けた一端方を容器内方向へ挿入するが、当該欠切部が容器首部下縁より下方に延設した状態で装着し、且つ、当該延設部（ｓ）は、少なくとも、封入されるベアリングの径（ｐ）より長く延設した状態で装着完了とする（図３）。
【００１４】
また、本発明に係る固液分離筒体は、容器に装着した場合に延設部があり、当該延設部に内容物が通過するための欠切部若しくは通過孔があり、且つ、当該欠切部等の大きさが、封入されたベアリング等の転動体、その他固形物より小さいものであれば、当該転動体等の流出を防ぐ効果が得られるため、図１および図２に示された形状、構造に限られるものではない。
【００１５】
また、本発明の固液分離筒体の別構造としては、筒体側壁に網状部を設けた筒体が挙げられる。当該網状部の網目の大きさを容器内に封入されるベアリングの径より小さく形成し、内容物を抽出する際にベアリング等固形物が容器外へ流出するのを防ぐに足る大きさの網目とする。尚、網目の形状は限定されず、また、側壁全面に網状部を設けても良い（図６）が、少なくとも、容器首部下縁より下方に延設される部分に網状部を設けていれば良い（図７）。
【００１６】
さらにまた、本発明の固液分離筒体の別構造としては、筒体の側壁全面および一端を覆うように網状部を有した構造（図８）、若しくは一端のみに網状部を有した構造（図９）が考えられる。また、図９の構造である場合には、容器への装着時に、容器首部下縁に当該一端の網部の面を合わせることとするか、容器首部下縁より上に一端の網部の面がくるようにし、容器首部下縁より容器内方向へ延設した状態では装着しない。
【００１７】
なお、容器首部下縁にベアリング等の容器内に封入された固形物を堰き止め、且つ、内容物を通過させる、欠切部や通過孔を設けた延設部を、容器首部下縁に、容器と一体的に成形することとしても構わない。
【００１８】
【実施例】
［実施例１］
本発明の固液分離筒体の第一の実施例を図１〜図５を参照して説明する。本実施例は、鑑賞魚を飼育する水槽水の水質調整効果を呈する鉱物の微細な粒子を含有する懸濁液中に、静置状態では沈殿する当該微細粒子を攪拌する目的でベアリングを封入した容器の注ぎ口内に装着し、前記懸濁液の抽出時にもベアリングが容器外へ流出することを防ぐ技術に関するものである。
【００１９】
図１は本発明の第一の実施例に係る固液分離筒体を示す斜視図、図２は欠切部のバリエーションを示す図、図３は筒体（１）を容器へ装着する状態を示した図、図４はベアリングの流出を防ぐ状態を示す図、図５は比較例を示す図である。
【００２０】
図中、（１）は一端に欠切部を有する固液分離筒体、（２）は欠切部、（２ａ）は欠切片、（３）は容器、（４）は内容物、（５）はベアリング、（６）は蓄積した微細粒子、（Ａ）は容器首部下縁ライン、（Ｂ）は欠切片の根元ライン、（ｐ）はベアリングの径、（ｓ）は欠切片の長さ、（ｔ）は欠切片間若しくは通過孔の最大巾を示す。
【００２１】
本実施例における固液分離筒体（１）は、厚さ０．５ｍｍのポリエチレンシートより成形され、筒体の一端をＶ字型に欠切してなる。筒体（１）の全長は７ｃｍ、欠切部（２）の長さは３．５ｃｍである。尚、筒体の外径は２．５ｃｍで、容器（３）の注ぎ口の内径に嵌合するものとする。また、ベアリング（５）の径は１ｃｍで、欠切片間の最大巾（ｔ）は１ｃｍ未満である。
【００２２】
筒体（１）の欠切部（２）方を容器（３）の開口部へ向けて挿入し、欠切片の根元のライン（Ｂ）が容器首部下縁ライン（Ａ）と同じ位置になるように装着する（図４）。尚、この時ライン（Ｂ）がライン（Ａ）の若干上になるように装着してもよい。さらに、欠切部（２）の長さ（ｔ）は少なくともベアリング（５）の径より長くしておく必要がある。
尚、両ラインは装着時には目視困難であるため、予め容器首部の長さを考慮して筒体（１）を製造しておき、装着時に容器開口部縁から筒体（１）の上縁が数ミリメートル下がった位置にくれば適当な装着となるように製造しておけばよい。
【００２３】
懸濁液たる内容物（４）を使用する際、容器（３）を振って、底に沈殿した鉱物微細粒子をベアリング（５）で攪拌した後、水槽（図示せず）へ注ぐ状態を示した図が図４である。この際、内容物（４）は容器の開口部より注ぎ出されるが、ベアリング（５）は欠切片（２ａ）により堰き止められるため、容器外へ流出することはない。
【００２４】
ここで、筒体（１）にＶ字型の欠切部を設けていない、単なる筒体を使用した場合を、本実施例との比較例（図５）として説明する。
ベアリング（５）の流出を堰き止めるためには、筒体の一部が容器首部下縁より、少なくともベアリング（５）の径程度は延設した状態となる必要がある。そして、Ｖ字型の欠切部を設けていない場合は、使用を重ねるごとに、筒体の延設部と容器首部の下縁周辺との境に形成される空間に鉱物微細粒子（６）が溜まってしまう（図５）。
【００２５】
しかしながら、筒体にＶ字型の欠切部を設けておけば、前述のような空間はほとんど形成されず、結果、鉱物微細粒子（６）が溜まることがない。
【００２６】
以上のことから、本実施例によれば、容器に特別な構造を求めずに、ベアリングの流出を防ぐことができ、且つ、微細粒子を蓄積させるという無駄を生じさせない。また、内容物の使用後には他の容器への再装着も容易に可能であることから、一層、経済的であるといえる。
さらに、容器開口部の内側に装着するため、容器のキャップを閉じる際にも何ら妨げられることがない。
【００２７】
［実施例２］
本発明の第二の実施例を図６〜図８を参照して説明する。
本実施例においても、鑑賞魚を飼育する水槽水の水質調整効果を呈する鉱物の微細な粒子を含有する懸濁液中に、静置状態では沈殿する当該微細粒子を攪拌する目的でベアリングを封入した容器の注ぎ口に装着し、懸濁液の抽出時にもベアリングが容器外へ流出することを防ぐ技術に関するものであり、実施例１に係る固液分離筒体のバリエーションの筒体に関するものである。
【００２８】
図６〜図８はそれぞれ本発明の固液分離筒体に係るバリエーションを示す図である。本実施例は、固液分離筒体の一部若しくは全面に網状部を設け、実施例と１同様、容器の内容物のみ通過させ、封入されているベアリング等の固体物の流出を防ぐ技術に関するものである。
【００２９】
図６に示す筒体は、筒体側壁全面が網状部となっており、また、図８に示す筒体は、筒体側壁全面および一端開放口を覆うように網状部を有する構造である。これらの筒体であっても実施例１と同様に容器へ装着すれば、使用時に容器を傾けた際、網状部を通過して内容物を抽出することができる一方、封入されたベアリングは筒体延設部により堰き止められ、流出することがない。尚、図８に示す筒体は、網状部で覆われた一端を容器内方向へ装着する。
【００３０】
図７に示す筒体は、筒体側壁の下部を網状部とした構造である。当該筒体を使用する場合には、少なくとも網部の上端（Ｂ´）が容器首部下縁ライン（Ａ）と同じ位置になるように装着するのが好ましいが、網部の上端（Ｂ´）がライン（Ａ）より若干上になるように装着してもよい。このように装着することで、使用を重ねても、延設部が網状となっていることから、当該延設部と容器首部の下縁周辺との境に鉱物微細粒子（６）が溜まることがない。そして、図１、図６、図８に示す筒体を使用した場合と同様に、使用時に容器を傾けた際、網状部を通過して内容物を抽出することができる一方、封入されたベアリングは筒体延設部により堰き止められ、流出することがない。また、容器開口部の内側に装着するため、キャップを閉じる際の妨げになることもない。
【００３１】
［実施例３］
本発明の第三の実施例を図９を参照して説明する。
本実施例も実施例１のバリエーションを示す固液分離筒体に関するものである。図９は固液分離筒体の一端開放口にのみ網状部を有した構造を示したものである。
【００３２】
図９に示す固液分離筒体を使用する場合には、ベアリングを堰き止めるための延設部は必要ないことから、網状部となった底部を容器首部下縁ライン（Ａ）に合わせて容器開口部に装着する。かかる構造を有する固液分離筒体であっても、当該網状部を通過して内容物を抽出することができる一方、封入されたベアリングは当該網状部により堰き止められ、流出することがない。また、容器開口部の内側に装着するため、キャップを閉じる際の妨げになることもない。
【発明の効果】
以上のように、本発明によれば、液体に固体を封入した容器で、且つ、当該固体を流出させずに液体内容物を利用する容器へ、容器に特別な構造を求めず、容易に装着することができる。また、内要物の利用後は他の容器への再利用も可能で、製造コストも安価に抑えることができる。しかも、容器首部内側に装着するため、キャップを閉じる際にも、何ら妨げとなることがないため、本発明を装着する目的で、既存の容器やキャップの構造を変更する必要もない。
尚、上記実施例で紹介したベアリングを封入した溶液の例以外にも、容器内に果実を漬けた果実酒の貯蔵に用いられる瓶等にも応用が可能である。
【図面の簡単な説明】
【図１】本発明の第一の実施例に係る固液分離筒体を示す斜視図
【図２】欠切部のバリエーションを示す図
【図３】筒体（１）を容器へ装着する状態を示した図
【図４】ベアリングの流出を防ぐ状態を示す図
【図５】比較例を示す図
【図６】本発明の固液分離筒体に係るバリエーションを示す図
【図７】本発明の固液分離筒体に係るバリエーションを示す図
【図８】本発明の固液分離筒体に係るバリエーションを示す図
【図９】本発明の固液分離筒体に係るバリエーションを示す図
【符号の説明】
１    一端に欠切部を有する固液分離筒体
２    欠切部
２ａ  欠切片
３    容器
４    内容物
５    ベアリング
６    蓄積した微細粒子
Ａ    容器首部下縁ライン
Ｂ    欠切片の根元ライン
ｐ    ベアリングの径
ｓ    欠切片の長さ
ｔ    欠切片間若しくは通過孔の最大巾
【図１】
2004216315.tif 000003
【図２】
2004216315.tif 000004
【図３】
2004216315.tif 000005
【図４】
2004216315.tif 000006
【図５】
2004216315.tif 000007
【図６】
2004216315.tif 000008
【図７】
2004216315.tif 000009
【図８】
2004216315.tif 000010
【図９】
2004216315.tif 000011